(57)【要約】【課題】安価な設備でゴム練りロールの軸方向におけるバンク量を均一に制御することができる技術を提供する。【解決手段】ゴム練りロールの上方に設けられており、ゴム練りロールで練られたシート状のゴム材料を折り返すための駆動ロールおよび押えロールを有する折り返し機構と、ゴム練りロールと折り返し機構との間に設けられており、シート状のゴム材料を折り返し機構に案内しながらゴム練りロールの軸方向に沿って往復動することにより、ゴム練りロールの軸方向におけるシート状のゴム材料の供給位置を調整するトラバーサとを備えており、さらに、ゴム練りロールの軸方向におけるバンクゴムの量が均一になるように、トラバーサの往復動の折り返し位置またはその近傍におけるトラバーサの横行速度を制御する制御手段を備えているゴム練りロール用練り返し装置。【選択図】図１
2017024350.tif 000002
【特許請求の範囲】
【請求項１】
ゴム練り装置のゴム練りロールの上方に設けられたゴム練りロール用練り返し装置であって、
前記ゴム練りロールの上方に設けられており、前記ゴム練りロールで練られたシート状のゴム材料を折り返すための駆動ロールおよび押えロールを有する折り返し機構と、
前記ゴム練りロールと前記折り返し機構との間に設けられており、前記シート状のゴム材料を前記折り返し機構に案内しながら、前記ゴム練りロールの軸方向に沿って往復動することにより、前記ゴム練りロールの軸方向における前記シート状のゴム材料の供給位置を調整するトラバーサと
を備えており、
さらに、前記ゴム練りロールの軸方向における前記バンクゴムの量が均一になるように、前記トラバーサの往復動の折り返し位置またはその近傍における前記トラバーサの横行速度を制御する制御手段を備えていることを特徴とするゴム練りロール用練り返し装置。
【請求項２】
前記制御手段が、前記トラバーサの往復動の折り返し位置において前記トラバーサを一時停止させる制御手段であることを特徴とする請求項１に記載のゴム練りロール用練り返し装置。
【請求項３】
前記制御手段が、前記トラバーサの往復動の折り返し位置の近傍において、前記トラバーサの横行速度を減速する制御手段であることを特徴とする請求項１に記載のゴム練りロール用練り返し装置。
【請求項４】
請求項１に記載のゴム練りロール用練り返し装置を用いて、ゴム練りロールに練られたシート状のゴム材料を再びゴム練りロールに供給するゴム材料の練り返し方法であって、
前記トラバーサの往復動の折り返し位置またはその近傍における前記トラバーサの横行速度を制御して、前記ゴム練りロールの軸方向における前記バンクゴムの量が均一になるように、前記ゴム練りロールに練られたシート状の前記ゴム材料を再び前記ゴム練りロールに供給することを特徴とするゴム材料の練り返し方法。
【請求項５】
請求項２に記載のゴム練りロール用練り返し装置を用いて、
前記トラバーサの往復動の折り返し位置において前記トラバーサを一時停止させることを特徴とする請求項４に記載のゴム材料の練り返し方法。
【請求項６】
請求項３に記載のゴム練りロール用練り返し装置を用いて、
前記トラバーサの往復動の折り返し位置の近傍において、前記トラバーサの横行速度を減速させることを特徴とする請求項４に記載のゴム材料の練り返し方法。
【発明の詳細な説明】
【技術分野】
【０００１】
本発明は、ゴム練り装置のゴム練りロールを用いて練られたシート状のゴム材料を再びゴム練りロールに供給して練り返しを行うゴム練りロール用練り返し装置、および前記ゴム練りロール用練り返し装置を用いたゴム材料の練り返し方法に関する。
【背景技術】
【０００２】
空気入りタイヤの製造工程においては、種々の配合材料を一対のゴム練りロールを用いて練る、所謂ブレンディングを行いシート状のゴム材料を作製するゴム練り装置が用いられている。そして、このゴム練りに際しては、一度ゴム練りロール間で練られたゴム材料を切り出して再びゴム練りロール間に供給する練り返しが行なわれている。
【０００３】
図４は従来のゴム練り装置を説明する正面図である。図４に示すように、このゴム練り装置では、一対のゴム練りロールｂの上方にゴム練りロール用練り返し装置が設けられている。そして、ゴム練りロールｂで練られたシート状のゴム材料Ａは、切り出された後、折り返し機構ａの駆動ロールｃで折り返されて再びゴム練りロールｂの間のバンク部に供給される。
【０００４】
このとき、ブレンディング効果の低下やシート状のゴム材料Ａの切れを防止するために、ゴム練りロールｂの間に溜まったゴム材料の量（バンク量）を、ゴム練りロールｂの軸方向において均一にすることが求められる。このために、従来より、ゴム練りロール用練り返し装置には、ゴム練りロールｂの軸方向に沿って横行するトラバーサｄが設けられている。
【０００５】
トラバーサｄは、ゴム練りロールｂで練られたゴム材料Ａを案内した状態で横行することにより折り返し機構ａにおいてゴム材料Ａが折り返される位置を調整し、ゴム練りロールｂにゴム材料が供給される位置を調整することができる。
【０００６】
しかし、上記したゴム練りロール用練り返し装置において、トラバーサｄを用いてゴム材料の供給位置を振り分けているにも拘らず、ゴム練りロールｂの軸方向におけるバンク量にバラツキが生じることがあった。このため、従来より、ロール間のゴム材料を赤外線カメラで撮像し、その画像に基づいてロールの軸方向におけるゴム材料の供給を制御することが行なわれている（特許文献１、２）。
【先行技術文献】
【特許文献】
【０００７】
【特許文献１】特開昭５９―１８７８３２号公報
【特許文献２】特公平４―３６８４７号公報
【発明の概要】
【発明が解決しようとする課題】
【０００８】
しかしながら、上記したような赤外線カメラを用いた方法の場合には、実施するために赤外線カメラを設け、さらに、取得画像に基づいたゴム材料の供給制御のシステムを構築する必要があるため、装置が高価になるという問題があった。
【０００９】
そこで、本発明は、安価な設備でゴム練りロールの軸方向におけるバンク量を均一に制御することができる技術を提供することを課題とする。
【課題を解決するための手段】
【００１０】
請求項１に記載の発明は、
ゴム練り装置のゴム練りロールの上方に設けられたゴム練りロール用練り返し装置であって、
前記ゴム練りロールの上方に設けられており、前記ゴム練りロールで練られたシート状のゴム材料を折り返すための駆動ロールおよび押えロールを有する折り返し機構と、
前記ゴム練りロールと前記折り返し機構との間に設けられており、前記シート状のゴム材料を前記折り返し機構に案内しながら、前記ゴム練りロールの軸方向に沿って往復動することにより、前記ゴム練りロールの軸方向における前記シート状のゴム材料の供給位置を調整するトラバーサと
を備えており、
さらに、前記ゴム練りロールの軸方向における前記バンクゴムの量が均一になるように、前記トラバーサの往復動の折り返し位置またはその近傍における前記トラバーサの横行速度を制御する制御手段を備えていることを特徴とするゴム練りロール用練り返し装置である。
【００１１】
請求項２に記載の発明は、
前記制御手段が、前記トラバーサの往復動の折り返し位置において前記トラバーサを一時停止させる制御手段であることを特徴とする請求項１に記載のゴム練りロール用練り返し装置である。
【００１２】
請求項３に記載の発明は、
前記制御手段が、前記トラバーサの往復動の折り返し位置の近傍において、前記トラバーサの横行速度を減速する制御手段であることを特徴とする請求項１に記載のゴム練りロール用練り返し装置である。
【００１３】
請求項４に記載の発明は、
請求項１に記載のゴム練りロール用練り返し装置を用いて、ゴム練りロールに練られたシート状のゴム材料を再びゴム練りロールに供給するゴム材料の練り返し方法であって、
前記トラバーサの往復動の折り返し位置またはその近傍における前記トラバーサの横行速度を制御して、前記ゴム練りロールの軸方向における前記バンクゴムの量が均一になるように、前記ゴム練りロールに練られたシート状の前記ゴム材料を再び前記ゴム練りロールに供給することを特徴とするゴム材料の練り返し方法である。
【００１４】
請求項５に記載の発明は、
請求項２に記載のゴム練りロール用練り返し装置を用いて、
前記トラバーサの往復動の折り返し位置において前記トラバーサを一時停止させることを特徴とする請求項４に記載のゴム材料の練り返し方法である。
【００１５】
請求項６に記載の発明は、
請求項３に記載のゴム練りロール用練り返し装置を用いて、
前記トラバーサの往復動の折り返し位置の近傍において、前記トラバーサの横行速度を減速させることを特徴とする請求項４に記載のゴム材料の練り返し方法である。
【発明の効果】
【００１６】
本発明によれば、安価な設備でゴム練りロールの軸方向におけるバンク量を均一に制御することができる技術を提供することができる。
【図面の簡単な説明】
【００１７】
【図１】本発明の一実施の形態に係るゴム練りロール用練り返し装置を説明する正面図である。
【図２】本発明の一実施の形態に係るゴム練りロール用練り返し装置の斜視図である。
【図３】従来のゴム練りロール用練り返し装置の一部を示す正面図である。
【図４】従来のゴム練りロール用練り返し装置を説明する正面図である。
【発明を実施するための形態】
【００１８】
以下、本発明を実施の形態に基づき、図面を用いて説明する。
【００１９】
１．本発明に至る経緯
本発明者は、安価な設備でゴム練りロールの軸方向におけるバンク量を均一に制御するために、図４に示す従来の技術において、ゴム練りロールｂの軸方向におけるバンク量に何故バラツキが生じるかについて検討した結果、以下の知見を見出した。
【００２０】
即ち、図４に示す従来の技術では、トラバーサｄがゴム練りロールｂの軸方向に沿って往復動するに際して、ゴム練りロールｂの中央部の方が両端部よりもトラバーサｄが通過する回数が多くなる。この結果、図３に示すように、ゴム練りロールｂの端部近傍の領域Ｂにおいて、ゴム材料Ａが供給されにくくなり、中央部よりもバンク量が少なくなって軸方向におけるバンク量のバラツキが生じていることが分かった。
【００２１】
本発明者は、赤外線センサ等を利用した複雑な制御を用いずに、上記したゴム練りロールｂの両端部近傍の領域Ｂにおけるゴム材料Ａの供給量不足を解消する方法を検討した結果、トラバーサの往復動の折り返し位置またはその近傍におけるトラバーサの横行速度を制御することを考え、本発明を完成させるに至った。即ち、横行速度の制御のみという従来よりも安価な設備で軸方向におけるバンク量のバラツキを防止することができると考えた。
【００２２】
そして、その具体的な制御方法として、例えば、（１）トラバーサの往復動の折り返し位置においてトラバーサを一時停止させる、若しくは、（２）折り返し位置の近傍において横行速度を減速するようにトラバーサの横行速度を制御するという方法に思い至った。
【００２３】
そして、種々の実験を行った結果、上記のようにトラバーサの横行速度を制御することにより、安価な設備でゴム練りロールの両端部近傍の領域にゴム材料が供給されやすくして、ゴム練りロールの軸方向におけるバンク量を均一に制御することができることを確認した。
【００２４】
２．第１の実施の形態
本実施の形態においては、トラバーサの横行を一時停止させる制御を行う形態について説明する。
【００２５】
図１は本実施の形態に係るゴム練りロール用練り返し装置を説明する正面図であり、図２は図１のゴム練りロール用練り返し装置の斜視図である。
【００２６】
（１）ゴム練りロール用練り返し装置の全体構成
図１に示すように、本実施の形態に係るゴム練りロール用練り返し装置１は、基本的には図４に示す従来の装置と同一の構造を有している。具体的には、ゴム練りロール用練り返し装置１は、ゴム練りロール２を有するゴム練り装置の上方に設けられており、折り返し機構３と、トラバーサ４とを備えている。
【００２７】
図２中の矢印ロに示すように、ゴム練りロール２で練られたシート状のゴム材料Ａは、トラバーサ４に案内された後、折り返し機構３において折り返されて再びゴム練りロール２の間のバンク部に供給されて、一対のゴム練りロール２の間にバンクゴム２ｃを形成する。
【００２８】
（２）折り返し機構
折り返し機構３は駆動ロール３ａと押えロール３ｂとを備えており、一対のゴム練りロール２により練られた後のシート状のゴム材料Ａは駆動ロール３ａと押えロール３ｂの間に供給されて、再びゴム練りロール２の間のバンク部に供給される。
【００２９】
（３）トラバーサ
トラバーサ４は、上記したゴム練りロール２と折り返し機構３との間に設けられており、一対のガイド部材８を備えている。ゴム練りロール２により練られた後のシート状のゴム材料Ａは、この一対のガイド部材８の間に案内されながら折り返し機構３に送られる。
【００３０】
そして、トラバーサ４は、ゴム練りロール２のロール軸に並行に設けられたガイドシャフト５に摺動可能に取り付けられており、無段変速機付モーター７（図１参照）によりゴム練りロール２の軸方向（図１および図２中の矢印イの方向）に沿って横行させることができるように構成されている。
【００３１】
このように、トラバーサ４のガイド部材８間にゴム材料Ａを案内した状態で、トラバーサ４をゴム練りロール２の軸方向に沿って往復動させることにより、ゴム材料Ａが折り返し機構３において折り返される位置が変わり、ゴム練りロール２にゴム材料Ａが供給される位置を調整することができる。
【００３２】
（４）制御手段
本実施の形態に係るゴム練りロール用練り返し装置１は、トラバーサの横行速度を制御する制御手段（図示省略）を備えており、この制御手段が、上記したトラバーサ４の往復動の折り返し位置においてトラバーサ４を一時停止させる、所謂トラバーサ４の間欠動作を行うように構成されている点を特徴とする。
【００３３】
具体的には、制御手段は、ゴム練りロール２の軸方向の中央部においては、従来と同様に、ゴム練りロール２のロール軸に沿って一定速度で横行するようにトラバーサ４を制御する。
【００３４】
そして、トラバーサ４が往復動の折り返し位置に達した際には、トラバーサ４を一時停止させ、所定時間停止させた後に逆方向への横行が再開するようにトラバーサ４の往復動を制御する。
【００３５】
本実施の形態においては、トラバーサ４が折り返し位置において停止している間も、ゴム練りロール２へのゴム材料Ａの供給を継続させるため、ゴム練りロール２の軸方向の両端部におけるバンク量が中央部と同程度になるように制御することができる。
【００３６】
これにより、ゴム練りロール２の両端部のバンク量が中央部よりも少なくなることが抑制されて、軸方向におけるバンク量のバラツキが生じることを防止することができ、ブレンディング効果を従来よりも向上させると共に、シート状のゴム材料Ａの切れの発生を防止することができる。
【００３７】
そして、本実施の形態によれば、既存の設備に、トラバーサ４の往復動に一時停止の制御を組み込むという簡単な制御を加えるのみであり、赤外線カメラを設け、さらに、赤外線カメラを組み込んだ複雑な制御システムを構築する必要がある従来の技術に比べて、遥かに安価にバンク量のバラツキが生じることを防止することができる。
【００３８】
３．第２の実施の形態
上記の実施の形態においては、トラバーサ４の間欠動作を行うことにより、ゴム練りロール２の軸方向におけるバンクゴム２ｃの量が均一になるように制御しているが、本実施の形態においては、トラバーサの往復動の折り返し位置の近傍において、トラバーサの横行速度を減速するトラバーサ４の減速動作を行う。
【００３９】
具体的には、上記した第１の実施の形態の場合と同様に、本実施の形態の制御手段は、ゴム練りロール２の軸方向の中央部においては、ゴム練りロール２のロール軸に沿って一定速度で横行するようにトラバーサ４を制御する。
【００４０】
そして、トラバーサ４が往復動の折り返し位置に向かう際に、折り返し位置の近傍におけるトラバーサ４の横行速度を通常の横行速度から減速させ、トラバーサ４が折り返し位置に達した後に逆方向への横行を開始する際に通常の横行速度に戻すという速度制御を行う。これにより、トラバーサ４がゴム練りロール２の両端部の上方に位置する時間が長くなり、ゴム練りロール２の軸方向のバンク量が中央部と同程度になるため、軸方向におけるバンク量のバラツキが生じることを防止することができる。
【００４１】
また、本実施の形態においても、第１の実施の形態と同様に、赤外線カメラを組み込んだ制御システムを構築する必要がある従来の技術に比べて、安価にバンク量のバラツキが生じることを防止することができる。
【００４２】
なお、上記では、トラバーサ４が折り返し位置に向かう際のみ横行速度を減速するという制御を行っているが、これに限定されず、トラバーサ４の折り返しの前後の少なくとも一方において横行速度を減速させればよい。例えば、折り返し位置に向かう際と折り返した後の両方でトラバーサ４の横行速度が減速状態となるような制御を行ってもよい。
【００４３】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００４４】
１            ゴム練りロール用練り返し装置
２、ｂ        ゴム練りロール
２ｃ          バンクゴム
３、ａ        折り返し機構
３ａ、ｃ      駆動ロール
３ｂ          押えロール
４、ｄ        トラバーサ
５            ガイドシャフト
７            無段変速機付モーター
８            ガイド部材
Ａ            ゴム材料
Ｂ            ゴム練りロールの端部近傍の領域
【図１】
2017024350.tif 000003
【図２】
2017024350.tif 000004
【図３】
2017024350.tif 000005
【図４】
2017024350.tif 000006